(57)【要約】【課題】お店及びエンドユーザ双方の負担を軽減し、エンドユーザが商品を容易に購入できるネットショッピングを提供する。【解決手段】ネットワークに接続可能な、携帯端末と、第１システムと、第２システムとを備えるシステムであって、  第１システムは、会員のメールアドレスを含む会員情報を管理し、  携帯端末は、商品コードを含むメールアドレスを内容とする二次元コードを読み取り、その内容である商品コードを含むメールアドレスを送信先メールアドレスとし、エンドユーザのメールアドレスを送信元メールアドレスとするメールを作成して送信し、  第２システムは、メールを受信し、受信したメールについて、送信先メールアドレスから商品コードを読み取り、読み取った商品コードで識別される商品を注文商品とし、送信元メールアドレスから第１システムを検索して会員を特定し、特定した会員を購入者とする、  ことを特徴とするネットショッピングシステム。【選択図】図４
2008129680.tif 000002
【特許請求の範囲】
【請求項１】
ネットワークに接続可能な、携帯端末と、第１システムと、第２システムとを備えるシステムであって、
第１システムは、会員のメールアドレスを含む会員情報を管理する手段を有し、
携帯端末は、商品コードを含むメールアドレスを内容とする二次元コードを読み取る手段と、読み取った二次元コードの内容である商品コードを含むメールアドレスを送信先メールアドレスとし、エンドユーザのメールアドレスを送信元メールアドレスとするメールを作成する手段と、メールを送信する手段とを有し、
第２システムは、メールを受信する手段と、受信したメールの送信先メールアドレスから商品コードを読み取り、読み取った商品コードで識別される商品を注文商品とする手段と、受信したメールの送信元メールアドレスから第１システムを検索して会員を特定し、特定した会員を購入者とする手段とを有する、
ことを特徴とするネットショッピングシステム。
【請求項２】
ネットワークに接続可能な、携帯端末と、第１システムと、第２システムとを備えるシステムが行う方法であって、
第１システムが、会員のメールアドレスを含む会員情報を管理する工程と、
携帯端末が、商品コードを含むメールアドレスを内容とする二次元コードを読み取る工程と、
携帯端末が、読み取った二次元コードの内容である商品コードを含むメールアドレスを送信先メールアドレスとし、エンドユーザのメールアドレスを送信元メールアドレスとするメールを作成する工程と、
携帯端末が、メールを送信する工程と、
第２システムが、メールを受信する工程と、
第２システムが、受信したメールの送信先メールアドレスから商品コードを読み取り、読み取った商品コードで識別される商品を注文商品とする工程と、
第２システムが、受信したメールの送信元メールアドレスから第１システムを検索して会員を特定し、特定した会員を購入者とする工程と、
を含むことを特徴とするネットショッピング方法。
【発明の詳細な説明】
【技術分野】
【０００１】
本発明は、ネットショッピングの技術に関する。
【背景技術】
【０００２】
従来から、インターネットなどのコンピュータネットワークを利用してエンドユーザが商品を購入するネットショッピングとして、以下の（１）〜（４）が知られている。
【０００３】
（１）エンドユーザ自身で注文内容を記載したメールを作成し、そのメールを送信することで、商品の注文処理を行う。
【０００４】
（２）エンドユーザがＥＣ（Ｅｌｅｃｔｒｏｎｉｃ  ｃｏｍｍｅｒｃｅ：電子商取引）サイトに接続し、商品毎の注文フォームに必要事項を入力することで、商品の注文処理を行う。
【０００５】
（３）エンドユーザが携帯端末で二次元コードを読み取り、読み取った商品のＥＣサイト上の詳細ページに接続してから、ＥＣサイト上で商品の注文処理を行う。
【０００６】
（４）エンドユーザがＥＣサイトに接続し、商品を選択することでショッピングカートに商品を登録し、注文フォームに必要事項を入力することで、商品の注文処理を行う。
【０００７】
上記の（１）〜（４）の方法には、それぞれ以下のような問題点がある。
【０００８】
まず、上記の（１）の方法では、エンドユーザ自身でメールの送信先、メール記載内容（宛先、商品の注文内容、購入者情報等）を作成する必要があったため、手間がかかる。また、お店側もエンドユーザのメール記載内容に統一性がないため、そこから注文内容を整理するのに、手間がかかる。
【０００９】
次に、上記の（２）の方法では、エンドユーザが商品毎に注文フォームを入力する必要があるため、複数の商品を購入する際、何度も同様の処理を行う必要がある。また、お店側でも商品毎の注文フォームを用意する必要があるため、商品数が増える度に、注文フォームを設置する必要がある。
【００１０】
次に、上記の（３）の方法では、エンドユーザが二次元コードを読み取っても、ＥＣサイトへ誘致するだけで、商品購入は、ＥＣサイト上で行う必要がある。
【００１１】
最後に、上記の（４）の方法では、ショッピングカートを利用することにより、一種類の商品を購入するだけでも、いくつかのステップ（商品選択、カート表示、注文フォーム記入、入力内容確認、注文）を行う必要があり、手間がかかる。また、インターネットへの接続時間も長くなるため、常時接続環境で、通信速度もある程度確保しないと、快適に商品購入が行えない。
【発明の開示】
【発明が解決しようとする課題】
【００１２】
本発明は斯かる背景技術に鑑みてなされたもので、お店及びエンドユーザ双方の負担を軽減し、エンドユーザが商品を容易に購入できるネットショッピングを提供することを課題とする。
【課題を解決するための手段】
【００１３】
本発明において上記課題を達成するために、まず請求項１の発明では、ネットワークに接続可能な、携帯端末と、第１システムと、第２システムとを備えるネットショッピングシステムであって、
第１システムは、会員のメールアドレスを含む会員情報を管理する手段を有し、
携帯端末は、商品コードを含むメールアドレスを内容とする二次元コードを読み取る手段と、読み取った二次元コードの内容である商品コードを含むメールアドレスを送信先メールアドレスとし、エンドユーザのメールアドレスを送信元メールアドレスとするメールを作成する手段と、メールを送信する手段とを有し、
第２システムは、メールを受信する手段と、受信したメールの送信先メールアドレスから商品コードを読み取り、読み取った商品コードで識別される商品を注文商品とする手段と、受信したメールの送信元メールアドレスから第１システムを検索して会員を特定し、特定した会員を購入者とする手段とを有する、
ことを特徴とするネットショッピングシステムとしたものである。
【００１４】
また請求項２の発明では、ネットワークに接続可能な、携帯端末と、第１システムと、第２システムとを備えるネットショッピングシステムが行う方法であって、
第１システムが、会員のメールアドレスを含む会員情報を管理する工程と、
携帯端末が、商品コードを含むメールアドレスを内容とする二次元コードを読み取る工程と、
携帯端末が、読み取った二次元コードの内容である商品コードを含むメールアドレスを送信先メールアドレスとし、エンドユーザのメールアドレスを送信元メールアドレスとするメールを作成する工程と、
携帯端末が、メールを送信する工程と、
第２システムが、メールを受信する工程と、
第２システムが、受信したメールの送信先メールアドレスから商品コードを読み取り、読み取った商品コードで識別される商品を注文商品とする工程と、
第２システムが、受信したメールの送信元メールアドレスから第１システムを検索して会員を特定し、特定した会員を購入者とする工程と、
を含むことを特徴とするネットショッピング方法としたものである。
【発明の効果】
【００１５】
本発明では、携帯端末のネットワークへの接続はメール送信時だけで済み、その接続時間を大幅に減らすことが可能になるため、その携帯端末のネットワークへの接続通信負荷が小さくなり、接続料金を抑えることができるので、エンドユーザの負荷を軽減する。
【００１６】
また本発明では、注文商品と、その購入者とが自動的に特定されるので、お店の負担も軽減する。
【００１７】
また本発明では、商品に、その商品の商品コードを含むメールアドレスを内容とする二次元コードが印刷されていれば、その二次元コードを携帯端末で読み取ると、その商品を注文するメールが自動作成され、そのメールを送信するだけで、その商品を注文できるので、その商品をエンドユーザが容易に購入できる。
【００１８】
また本発明では、商品カタログに、掲載商品の商品コードを含むメールアドレスを内容とする二次元コードが印刷されていたりすれば、その二次元コードを携帯端末で読み取ると、その掲載商品を注文するメールが自動作成され、そのメールを送信するだけで、その掲載商品を注文できるので、その掲載商品をエンドユーザが容易に購入できる。
【００１９】
以上、本発明は、お店及びエンドユーザ双方の負担を軽減し、エンドユーザが商品を容
易に購入できるネットショッピングを提供するという効果がある。
【発明を実施するための最良の形態】
【００２０】
以下に、本発明の最良の一実施形態を説明する。
【００２１】
１．構成
本実施形態では、図１に示すように、商品１１には、この商品１１の二次元コード１２が印刷されている。また、図２に示すように、商品カタログ２１には、各掲載商品２２の二次元コード１２が印刷されている。
【００２２】
商品の二次元コードの内容は、この商品の商品コードを、＠の前に含まれる文字列とし、商品注文メールを意味する特定のドメイン名を、＠の後ろに含まれる文字列とするメールアドレスである。商品の二次元コードの内容例として、商品Ａ１の二次元コードの内容であるメールアドレスを図３に示す。図３に示すメールアドレス「Ａ０６０００１＠ｏｒｄｅｒ．ｓｈｏｐ．ｃｏｍ」において、「Ａ０６０００１」は、商品Ａ１の商品コードであり、「ｏｒｄｅｒ．ｓｈｏｐ．ｃｏｍ」は、商品注文メールを意味する特定のドメイン名である。
【００２３】
本実施形態に係るシステムは、図４に示すように、携帯端末と、第１システムと、第２システムとを備え、携帯端末は必要に応じて一時的にネットワークに接続され、第１システムと第２システムとは常時ネットワークに接続されるものである。
【００２４】
ネットワークは、インターネットであっても良いし、専用回線であっても良い。
【００２５】
第２システムは、送信先メールアドレスに従ってメールを振り分けるメールサーバとして動作するコンピュータシステムである。
【００２６】
第１システムは、会員情報（氏名、住所、電話番号、メールアドレス、パスワード等）を管理する機能を有するＥＣサイトとして動作するコンピュータシステムである。第１システムに会員登録したエンドユーザのみ、商品の注文が行える。
【００２７】
携帯端末は、二次元コードを読み取り可能な装置であって、エンドユーザが、第１システムに会員登録して、商品を注文するのに使用するものである。具体的には、例えば、携帯電話、ＰＨＳ、ＰＤＡ、ハンディターミナルなどを携帯端末として用いる。
【００２８】
２．処理
ここで、エンドユーザが会員登録をして商品を購入するために行われる処理の流れの例を、以下のＳＴＥＰ１〜１０に従って説明する。
【００２９】
ＳＴＥＰ１；
エンドユーザは、商品購入のための事前作業として、携帯端末にて、第１システムに接続して、会員登録を行う。この会員登録は、会員情報（氏名、住所、電話番号、メールアドレス、パスワード等）を第１システムに登録することにより行う。
【００３０】
ＳＴＥＰ２；
エンドユーザは、携帯端末にて、商品もしくは商品カタログに印刷されている二次元コードを読み取る。読み取る二次元コードの数は、複数であっても良い。
【００３１】
ＳＴＥＰ３；
携帯端末は、読み取った二次元コードの内容を画面に表示する。
【００３２】
図５に、読み取った二次元コードの内容を表示する携帯端末の画面例を示す。図５の例では、携帯端末は、図２の商品カタログに掲載されている商品Ａ１〜Ａ３の二次元コードを読み取って、それぞれの二次元コード５１〜５３の内容を画面に表示している。
【００３３】
ＳＴＥＰ４；
エンドユーザは、携帯端末にて、この携帯端末の画面に表示されている二次元コードの内容の中から、注文しようと思う商品のものを選択する。
【００３４】
ＳＴＥＰ５；
携帯端末は、送信元メールアドレスに、エンドユーザのメールアドレスを自動挿入し、送信先メールアドレスに、選択された二次元コードの内容であるメールアドレスを自動挿入し、件名、本文、それぞれを空白のままにしたメールを新規に自動作成して、画面に表示する。
【００３５】
図６に、図５の画面例で、商品Ａ１の二次元コードの内容であるメールアドレス「Ａ０６０００１＠ｏｒｄｅｒ．ｓｈｏｐ．ｃｏｍ」を選択した場合に、新規に自動作成されたメールを表示する画面の例を示す。図６の例では、送信元メールアドレス６１に、エンドユーザのメールアドレスとして「ｕｓｅｒ００１＠ｘｘｘｘｘｘ．ｎｅ．ｊｐ」が自動挿入され、送信先メールアドレス６２に、図５の画面例で選択された「Ａ０６０００１＠ｏｒｄｅｒ．ｓｈｏｐ．ｃｏｍ」が自動挿入され、件名６３、本文６４、それぞれが空白のままになっている。
【００３６】
ＳＴＥＰ６；
エンドユーザは、携帯端末にて、新規に自動作成されたメールの件名において、先頭から１文字目に支払方法コードを入力し、先頭から２文字目以降に購入数量を入力する。
【００３７】
図７に支払方法コードの定義例を示す。図７の定義例では、Ｂは銀行振込であり、Ｄは代金引換郵便であり、Ｙは郵便振替であり、Ｓはコンビニ決済である。図８は、図６に示す新規に自動作成されたメールに、図７に示す定義例に従った支払方法コードと、購入数量とを入力したものを表示する携帯端末の画面例であって、件名６３において、先頭から１文字目に支払方法が銀行振込であることを示す支払方法コード「Ｂ」が入力され、先頭から２文字目以降に購入数量が２個であることを示す「２」が入力されている。
【００３８】
ＳＴＥＰ７；
エンドユーザは、携帯端末にて、図８に示すような、送信元メールアドレス６１に、エンドユーザのメールアドレスが自動挿入され、送信先メールアドレス６２に、選択された二次元コードの内容であるメールアドレスが自動挿入され、件名６３において、先頭から１文字目に支払方法コードが入力され、先頭から２文字目以降に購入数量が入力され、本文６４が空白のままのメールを第２システムに送信する。
【００３９】
ＳＴＥＰ８；
第２システムは、メールを受信し、受信したメールの内容から、以下のような注文内容の解析を行う。
【００４０】
すなわち、送信先メールアドレスの＠の後ろに含まれる文字列から、商品注文メールを意味する特定のドメイン名を読み取ることにより、受信したメールが商品注文メールだと判断する。
【００４１】
また、送信先メールアドレスの＠の前に含まれる文字列から、商品コードを読み取るこ
とにより、読み取った商品コードで識別される商品が、注文商品であると判断する。
【００４２】
また、件名の先頭から１文字目の文字列から、支払方法コードを読み取る。
【００４３】
また、件名の先頭から２文字目以降の文字列から、購入数量を読み取る。
【００４４】
また、送信元メールアドレスから第１システムの会員情報を検索して、購入者として、受信したメールを送信したエンドユーザを割り出す。
【００４５】
ＳＴＥＰ９；
第２システムは、受信したメールの送信元メールアドレス宛に、注文完了の自動応答メールを送信することで、商品の注文を完了させる。
【００４６】
或いは、よりセキュリティを高めるために、第２システムは、受信したメールの送信元メールアドレス宛に、この受信したメールを送信したエンドユーザに注文内容の確認を促がす自動応答メールを送信し、このエンドユーザが注文内容を確認したという返信メールを、一定時間内に送信した場合のみ注文完了としても良い。
【００４７】
ＳＴＥＰ１０；
第２システムは、注文があった商品を購入者宛に発送することを、お店の人に促がし、お店の人が、それを行う。
【図面の簡単な説明】
【００４８】
【図１】二次元コードを印刷した商品例を示す図。
【図２】各商品の二次元コードを印刷した商品カタログ例を示す図。
【図３】商品の二次元コードの内容例を示す図。
【図４】本実施形態に係るシステムの構成例を示す図。
【図５】読み取った二次元コードの内容を表示する携帯端末の画面例を示す図。
【図６】新規に自動作成されたメールを表示する携帯端末の画面例を示す図。
【図７】支払方法コード定義例を示す図。
【図８】新規に自動作成されたメールに支払条件コードと購入数量とを入力したものを表示する携帯端末の画面例を示す図。
【符号の説明】
【００４９】
１１…商品
１２…二次元コード
２１…商品カタログ
２２…掲載商品
２３…写真
２４…商品名
２５…説明文
５１…商品Ａ１の二次元コードの内容
５２…商品Ａ２の二次元コードの内容
５３…商品Ａ３の二次元コードの内容
６１…送信元メールアドレス
６２…送信先メールアドレス
６３…件名
６４…本文
【図１】
2008129680.tif 000003
【図２】
2008129680.tif 000004
【図３】
2008129680.tif 000005
【図４】
2008129680.tif 000006
【図５】
2008129680.tif 000007
【図６】
2008129680.tif 000008
【図７】
2008129680.tif 000009
【図８】
2008129680.tif 000010